(57)【要約】  本発明の実施例は、複数のIMSIをサポートする方法、装置及びシステムを開示する。この方法は、IMSI更新要求メッセージに応じてサーバにより返信されてユーザ端末により送信された応答メッセージを受信するステップと、応答メッセージで伝達された情報に従ってスマートカードのIMSI更新動作を実行するステップとを含み、スマートカードは、複数のIMSIをサポートするスマートカードであり、スマートカードのIMSI更新動作は、スマートカードにおいてIMSIを追加する動作及び／又はスマートカードからIMSIを削除する動作を含む。前述の技術的対策は、スマートカードのIMSIを動的に更新してもよく、これにより、１人のユーザが複数のIMSIをいつも占有しなければならないという現象を回避し、IMSIの利用率を改善し、IMSIリソースを節約する。
2013527656.tif 000002
【特許請求の範囲】
【請求項１】
複数のIMSI（international  mobile  subscriber  identity）をサポートする方法であって、
IMSI更新要求メッセージに応じてサーバにより返信されてユーザ端末により送信された応答メッセージを受信するステップと、
前記応答メッセージで伝達された情報に従ってスマートカードのIMSI更新動作を実行するステップと
を有し、
前記スマートカードは、複数のIMSIをサポートするスマートカードであり、
前記スマートカードの前記IMSI更新動作は、前記スマートカードにおいてIMSIを追加する動作及び／又は前記スマートカードからIMSIを削除する動作を有する方法。
【請求項２】
前記ユーザ端末により送信された前記応答メッセージを受信する前に、前記方法は、
IMSI更新コマンドを受信するステップと、
前記ユーザ端末がIMSI更新要求情報に従って前記IMSI更新要求メッセージを前記サーバに送信することを起動するために、前記IMSI更新コマンドに従ってIMSI更新要求情報を前記ユーザ端末に送信するステップと
を有し、
前記IMSI更新要求メッセージは、IMSI適用要求メッセージ及び／又はIMSI削除要求メッセージを有する、請求項１に記載の方法。
【請求項３】
IMSI更新コマンドは、エンベロープコマンドに基づくIMSI更新コマンドを有し、及び／又は、
前記IMSI更新要求メッセージは、OTA（over  the  air）ショートメッセージの形式又はベアラ非依存プロトコルの形式を通じて送信される、請求項１又は２に記載の方法。
【請求項４】
前記IMSI更新要求情報を前記ユーザ端末に送信するステップは、前記IMSI更新要求情報を暗号化し、暗号化された情報とセキュリティ認証に使用される情報とを前記ユーザ端末に送信することを有し、及び／又は、
前記応答メッセージで伝達された情報に従ってスマートカードのIMSI更新動作を実行するステップは、前記応答メッセージでセキュリティ認証を実行し、前記セキュリティ認証が通過した後に、前記応答メッセージを解読し、解読された情報に従って前記スマートカードの前記IMSI更新動作を実行することを有する、請求項２に記載の方法。
【請求項５】
複数のIMSIをサポートする方法であって、
ユーザ端末により送信されたIMSI更新要求メッセージを受信するステップと、
前記IMSI更新要求メッセージに従ってIMSI管理動作を実行するステップと、
前記IMSI管理動作の実行結果に従って応答メッセージを前記ユーザ端末に返信するステップと
を有し、
前記IMSI管理動作は、前記IMSI更新要求メッセージがIMSI適用要求メッセージを有する場合、前記ユーザ端末に新たなIMSI及び認証データを割り当てること、及び／又は、前記IMSI更新要求メッセージがIMSI削除要求メッセージを有する場合、前記IMSI削除要求メッセージに従ってIMSIを再利用することを有する方法。
【請求項６】
前記IMSI更新要求メッセージに従って前記IMSI管理動作を実行するステップは、前記IMSI更新要求メッセージでセキュリティ認証を実行し、前記セキュリティ認証が通過した後に、前記IMSI更新要求メッセージを解読し、解読後に得られた情報に従って前記IMSI管理動作を実行することを有し、及び／又は、
前記IMSI管理動作の実行結果に従って前記応答メッセージを前記ユーザ端末に返信するステップは、前記IMSI管理動作の実行結果についての情報を暗号化し、前記応答メッセージで暗号化された情報とセキュリティ認証に使用される情報とを伝達し、前記応答メッセージを前記ユーザ端末に返信することを有する、請求項５に記載の方法。
【請求項７】
複数のIMSIをサポートする装置であって、
IMSI更新要求メッセージに応じてサーバにより返信されてユーザ端末により送信された応答メッセージを受信するように構成された第１の受信モジュールと、
前記応答メッセージで伝達された情報に従ってスマートカードのIMSI更新動作を実行するように構成された更新モジュールと
を有し、
前記スマートカードは、複数のIMSIをサポートするスマートカードであり、
前記スマートカードの前記IMSI更新動作は、前記スマートカードにおいてIMSIを追加する動作及び／又は前記スマートカードからIMSIを削除する動作を有する装置。
【請求項８】
前記装置は、第１の送信モジュールを更に有し、
前記第１の受信モジュールは、IMSI更新コマンドを受信するように更に構成され、
前記第１の送信モジュールは、前記ユーザ端末がIMSI更新要求情報に従って前記IMSI更新要求メッセージを前記サーバに送信することを起動するために、前記第１の受信モジュールにより受信された前記IMSI更新コマンドに従ってIMSI更新要求情報を前記ユーザ端末に送信するように構成され、
前記IMSI更新要求メッセージは、IMSI適用要求メッセージ及び／又はIMSI削除要求メッセージを有する、請求項７に記載の装置。
【請求項９】
前記第１の送信モジュールは、前記IMSI更新コマンドに従って、前記IMSI更新要求情報を判定し、前記IMSI更新要求情報を暗号化するように構成された第１のサブモジュールと、暗号化された情報とセキュリティ認証に使用される情報とを前記ユーザ端末に送信するように構成された第２のサブモジュールとを有し、及び／又は、
前記更新モジュールは、前記応答メッセージでセキュリティ認証を実行するように構成された第３のサブモジュールと、前記セキュリティ認証が通過した後に前記応答メッセージを解読するように構成された第４のサブモジュールと、解読された情報に従って前記スマートカードの前記IMSI更新動作を実行するように構成された第５のサブモジュールとを有する、請求項８に記載の装置。
【請求項１０】
制御モジュール及び複数のIMSIをサポートする装置を有するユーザ端末であって、
前記制御モジュールは、IMSI更新要求メッセージをサーバに送信し、前記IMSI更新要求メッセージに応じて前記サーバにより返信された応答メッセージを受信した後に、前記応答メッセージを前記複数のIMSIをサポートする装置に送信するように構成され、
前記IMSI更新要求メッセージは、IMSI適用要求メッセージ及び／又はIMSI削除要求メッセージを有し、
前記複数のIMSIをサポートする装置は、前記制御モジュールにより送信された前記応答メッセージを受信し、前記応答メッセージで伝達された情報に従ってスマートカードのIMSI更新動作を実行するように構成され、
前記スマートカードは、複数のIMSIをサポートするスマートカードであり、
前記スマートカードの前記IMSI更新動作は、前記スマートカードにおいてIMSIを追加する動作及び／又は前記スマートカードからIMSIを削除する動作を有するユーザ端末。
【請求項１１】
前記複数のIMSIをサポートする装置は、前記制御モジュールにより送信されたIMSI更新コマンドを受信し、前記IMSI更新コマンドに従ってIMSI更新要求情報を前記制御モジュールに送信するように更に構成され、
前記制御モジュールは、受信した前記IMSI更新要求情報に従って前記IMSI更新要求メッセージを前記サーバに送信するように更に構成される、請求項１０に記載のユーザ端末。
【請求項１２】
ユーザ端末により送信されたIMSI更新要求メッセージを受信するように構成された第２の受信モジュールと、
前記IMSI更新要求メッセージに従ってIMSI管理動作を実行するように構成された管理モジュールと、
前記IMSI管理動作の実行結果に従って応答メッセージを前記ユーザ端末に返信するように構成された第２の送信モジュールと
を有し、
前記IMSI管理動作は、前記IMSI更新要求メッセージがIMSI適用要求メッセージを有する場合、前記管理モジュールが前記ユーザ端末に新たなIMSI及び認証データを割り当てること、及び／又は、前記IMSI更新要求メッセージがIMSI削除要求メッセージを有する場合、前記管理モジュールが前記IMSI削除要求メッセージに従ってIMSIを再利用することを有するサーバ。
【請求項１３】
前記管理モジュールは、前記IMSI更新要求メッセージでセキュリティ認証を実行するように構成された第６のサブモジュールと、前記セキュリティ認証が通過した後に、前記IMSI更新要求メッセージを解読するように構成された第７のサブモジュールと、解読により得られた情報に従って前記IMSI管理動作を実行するように構成された第８のサブモジュールとを有し、及び／又は、
前記第２の送信モジュールは、前記管理モジュールにより実行された前記IMSI管理動作の実行結果についての情報を暗号化するように構成された第９のサブモジュールと、前記応答メッセージで暗号化された情報とセキュリティ認証に使用される情報とを伝達し、前記応答メッセージを前記ユーザ端末に送信するように構成された第１０のサブモジュールとを有する、請求項１２に記載のサーバ。
【請求項１４】
請求項１０又は１１に記載の少なくとも１つのユーザ端末と、
請求項１２又は１３に記載のサーバと
を有する複数のIMSIをサポートするシステム。
【請求項１５】
複数のIMSIをサポートする方法であって、
IMSI適用要求メッセージ及び／又はIMSI削除要求メッセージを有するIMSI更新要求メッセージをサーバに送信するステップと、
前記IMSI更新要求メッセージに応じて前記サーバにより返信された応答メッセージを受信するステップと、
スマートカードが前記応答メッセージで伝達された情報に従って前記スマートカードのIMSI更新動作を実行するように、前記応答メッセージをスマートカードに送信するステップと
を有し、
前記スマートカードは、複数のIMSIをサポートするスマートカードであり、
前記スマートカードの前記IMSI更新動作は、前記スマートカードにおいてIMSIを追加する動作及び／又は前記スマートカードからIMSIを削除する動作を有する方法。
【請求項１６】
前記IMSI更新要求メッセージを前記サーバに送信する前に、前記方法は、
IMSI更新コマンドを前記スマートカードに送信するステップと、
IMSI更新要求情報に従って前記IMSI更新要求メッセージを前記サーバに送信するために、前記スマートカードにより返信されたIMSI更新要求情報を受信するステップと
を更に有する、請求項１５に記載の方法。
【請求項１７】
前記IMSI更新コマンドは、エンベロープコマンドに基づくIMSI更新コマンドを有し、及び／又は、
前記IMSI更新要求メッセージは、OTA（over  the  air）ショートメッセージの形式又はベアラ非依存プロトコルの形式を通じて送信される、請求項１５又は１６に記載の方法。
【請求項１８】
前記IMSI更新要求情報は暗号化され、ユーザ端末は、暗号化されたIMSI更新要求情報とセキュリティ認証に使用される情報とを受信し、及び／又は、
前記応答メッセージで伝達された情報に従って前記スマートカードの前記IMSI更新動作を実行するステップは、前記応答メッセージでセキュリティ認証を実行し、前記セキュリティ認証が通過した後に、前記応答メッセージを解読し、解読された情報に従って前記スマートカードの前記IMSI更新動作を実行することを有する、請求項１６に記載の方法。
【発明の詳細な説明】
【技術分野】
【０００１】
本発明は、ネットワーク通信技術の分野に関し、特に複数のIMSIをサポートする技術に関する。
【背景技術】
【０００２】
現在では、複数の国際移動体加入者識別番号（IMSI：international  mobile  subscriber  identity）がスマートカードに予め設定されることがある。すなわち、ユーザは、複数のアカウントを設定する。必要に応じて、ユーザは、使用するために複数のIMSIから１つのIMSIを選択してもよい。前述のスマートカードは、加入者識別モジュール（SIM：subscriber  identity  module）カード等でもよい。
【発明の概要】
【発明が解決しようとする課題】
【０００３】
本発明を実装する段階において、発明者は、既存のスマートカードに設定されたIMSIが比較的固定されていることを見出した。すなわち、IMSIがスマートカードに予め設定された後に、スマートカードのIMSIは変更できず、スマートカードの複数のIMSIは１人のユーザによってしか使用できない。従って、１人のユーザは複数のIMSIを占有しなければならず、このことは、IMSIの低い利用率をもたらし、最終的にIMSIリソースの無駄を生じる。
【課題を解決するための手段】
【０００４】
本発明の実装様式は、複数のIMSIをサポートする方法、装置及びシステムを提供し、この方法、装置及びシステムは、スマートカードのIMSIを動的に更新してもよい。これにより、１人のユーザが複数のIMSIをいつも占有しなければならないという現象を回避し、IMSIの利用率を改善し、IMSIリソースを節約する。
【０００５】
本発明の実装様式は、複数のIMSIをサポートする方法を提供し、この方法は、IMSI更新要求メッセージに応じてサーバにより返信されてユーザ端末により送信された応答メッセージを受信するステップと、応答メッセージで伝達された情報に従ってスマートカードのIMSI更新動作を実行するステップとを含み、スマートカードは、複数のIMSIをサポートするスマートカードであり、スマートカードのIMSI更新動作は、スマートカードにおいてIMSIを追加する動作及び／又はスマートカードからIMSIを削除する動作を含む。
【０００６】
本発明の実装様式は、複数のIMSIをサポートする方法を提供し、この方法は、ユーザ端末により送信されたIMSI更新要求メッセージを受信するステップと、IMSI更新要求メッセージに従ってIMSI管理動作を実行するステップと、IMSI管理動作の実行結果に従って応答メッセージをユーザ端末に返信するステップとを含み、IMSI管理動作は、IMSI更新要求メッセージがIMSI適用要求メッセージを含む場合、ユーザ端末に新たなIMSI及び認証データを割り当てること、及び／又は、IMSI更新要求メッセージがIMSI削除要求メッセージを含む場合、IMSI削除要求メッセージに従ってIMSIを再利用することを含む。
【０００７】
本発明の実装様式は、複数のIMSIをサポートする装置を提供し、この装置は、IMSI更新要求メッセージに応じてサーバにより返信されてユーザ端末により送信された応答メッセージを受信するように構成された第１の受信モジュールと、応答メッセージで伝達された情報に従ってスマートカードのIMSI更新動作を実行するように構成された更新モジュールとを含み、スマートカードは、複数のIMSIをサポートするスマートカードであり、スマートカードのIMSI更新動作は、スマートカードにおいてIMSIを追加する動作及び／又はスマートカードからIMSIを削除する動作を含む。
【０００８】
本発明の実装様式は、制御モジュール及び複数のIMSIをサポートする装置を含むユーザ端末を提供し、制御モジュールは、IMSI更新要求メッセージをサーバに送信し、IMSI更新要求メッセージに応じてサーバにより返信された応答メッセージを受信した後に、応答メッセージを複数のIMSIをサポートする装置に送信するように構成され、IMSI更新要求メッセージは、IMSI適用要求メッセージ及び／又はIMSI削除要求メッセージを含み、複数のIMSIをサポートする装置は、制御モジュールにより送信された応答メッセージを受信し、応答メッセージで伝達された情報に従ってスマートカードのIMSI更新動作を実行するように構成され、スマートカードは、複数のIMSIをサポートするスマートカードであり、スマートカードのIMSI更新動作は、スマートカードにおいてIMSIを追加する動作及び／又はスマートカードからIMSIを削除する動作を含む。
【０００９】
本発明の実装様式は、サーバを提供し、このサーバは、ユーザ端末により送信されたIMSI更新要求メッセージを受信するように構成された第２の受信モジュールと、IMSI更新要求メッセージに従ってIMSI管理動作を実行するように構成された管理モジュールと、IMSI管理動作の実行結果に従って応答メッセージをユーザ端末に返信するように構成された第２の送信モジュールとを含み、IMSI管理動作は、IMSI更新要求メッセージがIMSI適用要求メッセージを含む場合、管理モジュールがユーザ端末に新たなIMSI及び認証データを割り当てること、及び／又は、IMSI更新要求メッセージがIMSI削除要求メッセージを含む場合、管理モジュールがIMSI削除要求メッセージに従ってIMSIを再利用することを含む。
【００１０】
本発明の実装様式は、前述のサーバ及び少なくとも１つの前述のユーザ端末を含み、複数のIMSIをサポートするシステムを提供する。
【００１１】
本発明の実装様式は、複数のIMSIをサポートする方法を提供し、この方法は、IMSI適用要求メッセージ及び／又はIMSI削除要求メッセージを含むIMSI更新要求メッセージをサーバに送信するステップと、IMSI更新要求メッセージに応じてサーバにより返信された応答メッセージを受信するステップと、スマートカードが応答メッセージで伝達された情報に従ってスマートカードのIMSI更新動作を実行するように、応答メッセージをスマートカードに送信するステップとを含み、スマートカードは、複数のIMSIをサポートするスマートカードであり、スマートカードのIMSI更新動作は、スマートカードにおいてIMSIを追加する動作及び／又はスマートカードからIMSIを削除する動作を含む。
【００１２】
前述の技術的対策の説明から、実施例において、IMSI適用要求メッセージ又はIMSI削除要求メッセージのようなIMSI更新要求メッセージは、サーバに送信され、これにより、サーバは、IMSI更新要求メッセージに従ってユーザ端末の対応する応答メッセージを返信することができることが分かる。このように、サーバにより返信されてユーザ端末により送信された応答メッセージに従って、スマートカードにおいてIMSIを追加する動作が実行されてもよく、スマートカードからIMSIを削除する動作が実行されてもよい。これにより、スマートカードのIMSIが動的に更新されてもよく、ユーザ端末がIMSIを動的に占有してもよい。これにより、１人のユーザが複数のIMSIをいつも占有しなければならないという現象を回避し、IMSIの利用率を改善し、IMSIリソースを節約する。
【図面の簡単な説明】
【００１３】
【図１】本発明の実施例１に従って複数のIMSIをサポートする方法のフローチャート
【図２】本発明の実施例２に従って複数のIMSIをサポートする方法のフローチャート
【図３】本発明の実施例３に従って複数のIMSIをサポートする方法のフローチャート
【図４】本発明の実施例４に従って複数のIMSIをサポートする方法のフローチャート
【図５】本発明の実施例５に従って複数のIMSIをサポートする装置の概略図
【図６】本発明の実施例６によるユーザ端末の概略図
【図７】本発明の実施例７によるサーバの概略図
【図８】本発明の実施例８に従って複数のIMSIをサポートするシステムの概略図
【図９】本発明の実施例９に従って複数のIMSIをサポートする方法のフローチャート
【発明を実施するための形態】
【００１４】
本発明の実施例又は従来技術の技術的対策を明確に示すために、実施例又は従来技術を説明するために必要な添付図面について、以下に簡単に説明する。明らかに、以下の説明における添付図面は、本発明のいくつかの実施例に過ぎず、当業者は、創造的取り組みを行わずに、これらの添付図面に従って他の図面を更に導くことができる。
【００１５】
本発明の複数のIMSIをサポートする技術の特定の実装処理が、以下の実施例を通じた例により示される。明らかに、以下に説明する実施例は、本発明の全ての実施例ではなく、一部に過ぎない。創造的取り組みを行わずに本発明の実施例に基づいて当業者により導かれる全ての他の実施例は、本発明の保護範囲内に入るものとする。
【実施例１】
【００１６】
実施例１は、複数のIMSIをサポートする方法である。この方法の処理は図１に示されている。
【００１７】
図１の処理は、S100と、S110と、S120と、S130とを含み、S100及びS110は任意選択のステップである。すなわち、実施例１は、図１に示すS120及びS130のみを含んでもよい。
【００１８】
S100：IMSI更新コマンドを受信する。IMSI更新コマンドは、ユーザ端末により送信されたコマンドでもよい。ユーザ端末は、外部で入力されたIMSI更新要求情報を受信した後にIMSI更新コマンドを生成し、IMSI更新コマンドをS100の実行主体に送信してもよい。ユーザ端末により受信されたIMSI更新要求情報は、ユーザが新たなIMSIを適用する必要があるという内容又はユーザが特定のIMSIを削除する必要があるという内容等を表してもよい。IMSI更新要求情報に従ってユーザ端末により生成されたIMSI更新コマンドはまた、ユーザが新たなIMSIを適用する必要があるという内容又はユーザが特定のIMSIを削除する必要があるという内容等を表してもよい。前述のIMSI更新コマンドは、エンベロープ（envelope）コマンドに基づくIMSI更新コマンドでもよい。すなわち、IMSI更新コマンドは、エンベロープコマンドの形式を採用する。前述のIMSI更新コマンドはまた、エンベロープコマンド以外の他の形式のコマンドを採用してもよい。この実施例では、IMSI更新コマンドであるコマンドの特に採用されるプロトコルタイプ及び特定のフォーマットは限定されない。
【００１９】
S110：ユーザ端末がIMSI更新要求情報に従ってIMSI更新要求メッセージをサーバに送信することを起動（トリガー）するために、IMSI更新コマンドを受信した後に、IMSI更新コマンドに従ってIMSI更新要求情報をユーザ端末に送信する。IMSI更新要求メッセージは、IMSI適用要求メッセージでもよく、また、IMSI削除要求メッセージでもよい。IMSI適用要求メッセージは、ユーザ端末について新たなIMSIを適用するために使用され、IMSI削除要求メッセージは、ユーザ端末により占有されている特定のIMSIを取り消すために使用される。IMSI削除要求メッセージは、IMSI及び認証データのような削除される必要のあるIMSI情報を伝達してもよい。ここでの認証データは、IMSIに対応する認証データである。前述のIMSI更新要求情報は、エンベロープコマンドの形式に基づいてユーザ端末に送信されてもよく、また、エンベロープコマンド以外の他の形式のコマンドを採用してもよい。この実施例では、IMSI更新要求情報の特に採用されるプロトコルタイプ及び特定のフォーマットは限定されない。
【００２０】
S110の実行主体は、IMSI更新要求情報を暗号化し、暗号化された情報をユーザ端末に送信してもよい。更に、S110の実行主体はまた、セキュリティ認証に使用される情報と前述の暗号化された情報とをユーザ端末に送信してもよい。セキュリティ認証に使用される情報に含まれる内容は、実際のセキュリティ認証の特定の形式に従って設定されてもよい。例えば、セキュリティ認証に使用される情報は、スマートカードの識別情報を含む。この実施例では、セキュリティ認証の特定の実装様式、セキュリティ認証に使用される情報に特に含まれる内容、及び暗号化の特定の実装様式は限定されない。
【００２１】
前述のIMSI更新要求メッセージは、OTA（Over  The  Air）ショートメッセージの形式を通じてユーザ端末によりサーバに送信されてもよい。明らかに、IMSI更新要求メッセージはまた、OTAショートメッセージ以外の他の形式を通じてサーバに送信されてもよい。例えば、IMSI更新要求メッセージは、ベアラ非依存プロトコル（BIP：Bearer  Independent  Protocol）を通じてサーバに送信される。この実施例では、IMSI更新要求メッセージにより特に採用されるプロトコルタイプ及びIMSI更新要求メッセージに特に含まれる内容は限定されない。
【００２２】
前述のS100及びS110について、前述のS100及びS110は、ユーザ端末がトリガーに従ってIMSI更新要求メッセージをサーバに受動的に送信する処理を記載している点に特に留意すべきである。実際には、ユーザ端末はまた、IMSI更新要求メッセージをサーバに能動的に送信してもよい。この実施例では、ユーザ端末がIMSI更新要求メッセージをサーバに送信する特定の実装様式は限定されない。
【００２３】
S120：受信したIMSI更新要求メッセージに応じてサーバにより返信されてユーザ端末により送信された応答メッセージを受信する。
【００２４】
ユーザ端末がサーバにより返信された応答メッセージを受信した後に、応答メッセージは、ユーザ端末とS120の実行主体との間のプロトコルを使用することにより、S120の実行主体に送信されてもよい。サーバにより返信された応答メッセージは、新たなIMSI及びIMSIに対応する認証データをユーザ端末に割り当てるような、スマートカードにおいてIMSIを追加する動作を実行するために使用される情報を伝達してもよい。応答メッセージはまた、削除許可情報（すなわち、再利用成功情報）のような、スマートカードからIMSIを削除する動作を実行するために使用される情報を伝達してもよい。任意選択で、スマートカードからIMSIを削除する動作を実行するために使用される情報は、削除される必要のあるIMSIを含んでもよく、削除される必要のあるIMSI及びIMSIに対応する認証データを含んでもよい。ユーザ端末は、エンベロープコマンドに基づく応答メッセージを通じて、サーバにより返信された応答メッセージをS120の実行主体に送信してもよい。この実施例では、ユーザ端末によりS120の実行主体に送信された応答メッセージにより特に採用されるプロトコルタイプ及び応答メッセージの特定のコマンドフォーマットは限定されない。
【００２５】
S130：受信した応答メッセージで伝達された情報に従ってスマートカードのIMSI更新動作を実行する。ここでのスマートカードは、複数のIMSIをサポートするスマートカードである。スマートカードの前述のIMSI更新動作は、スマートカードにおいてIMSIを追加する動作及びスマートカードからIMSIを削除する動作のうち少なくとも１つを含んでもよい。スマートカードにおいてIMSIを追加する動作は、スマートカードにおいてIMSI及びIMSIに対応する認証データを追加することを含む点に留意すべきである。スマートカードからIMSIを削除する動作は、スマートカードからIMSI及びIMSIに対応する認証データを削除することを含む。また、以下の実施例で記録されるIMSIを追加する動作及びIMSIを削除する動作は同じであり、再び詳細には説明しない。
【００２６】
S130において、応答メッセージを受信した後に、実行主体は、応答メッセージで伝達された情報に従って、受信した応答メッセージでセキュリティ認証を実行してもよい。例えば、応答メッセージで伝達されたサーバ識別情報を使用することにより、応答メッセージでセキュリティ認証を実行してもよい。セキュリティ認証が通過した後に、実行主体は、応答メッセージで伝達された情報に従ってスマートカードのIMSI更新動作を実行する。サーバにより送信された応答メッセージが暗号化された応答メッセージである場合、セキュリティ認証が通過した後に、S130の実行主体は、更に、受信した応答メッセージを解読し、解読により得られた情報に従ってスマートカードのIMSI更新動作を実行する必要がある。更に、S130の実行主体は、解読の後に、解読後に得られた情報が完全且つ有効であるか否かを判定し、完全且つ有効であると判定された場合に、解読後に得られた情報に従ってスマートカードのIMSI更新動作を実行してもよい。完全且つ有効でないと判定された場合、スマートカードのIMSI更新動作を実行しなくてもよい。
【００２７】
前述の応答メッセージで伝達された情報は、新たなIMSIへの適用を表す応答コマンドタイプと、新たに適用されるIMSI（すなわち、ユーザ端末に割り当てられた新たなIMSI）と、認証データとを含んでもよい。応答メッセージで伝達された情報はまた、IMSIの削除を表す応答コマンドタイプと、再利用が成功したか否かを示す情報とを含んでもよく、任意選択で、削除される必要のあるIMSI及び認証データを更に含んでもよい。
【００２８】
S130の実行主体は、適用される新たなIMSIの応答コマンドタイプに従って、応答メッセージ内の新たに適用されるIMSI及び認証データをスマートカードに追加してもよい。S130の実行主体はまた、IMSIを削除する応答コマンドタイプに従って、応答メッセージに対応するIMSI更新コマンドにより示される通りにユーザが削除する必要のある特定のIMSIを判定し、スマートカードからIMSI及びIMSIに対応する認証データを削除してもよい。応答メッセージが削除される必要のあるIMSI及び認証データを伝達する場合、S130の実行主体は、応答メッセージで伝達されるIMSI及びIMSIに対応する認証データをスマートカードから削除してもよい。
【００２９】
任意選択で、S130の実行主体は、新たなIMSIがうまく適用されたか否か、又は特定のIMSIがうまく削除されたか否かをユーザが認識することができるように、スマートカードのIMSI更新動作の実行条件を出力してもよい。
【００３０】
一般的な場合、スマートカードは、ユーザ端末とは独立して設定されたスマートカードであるが、或る場合には、スマートカードはユーザ端末に固定されていてもよい。この実施例のスマートカードは、ユーザ端末とは独立して設定されたスマートカードでもよく、また、ユーザ端末に固定されたスマートカードでもよい。更に、この実施例の実行主体は、スマートカードに設定されてもよく、また、スマートカードとは独立して設定されてもよい。この実施例では、スマートカードの特定の存在様式及び実行主体は限定されない。
【００３１】
前述の実施例１の説明から、IMSI更新要求情報は、ユーザ端末がIMSI適用要求メッセージ又はIMSI削除要求メッセージのようなIMSI更新要求メッセージをサーバに送信することを起動（トリガー）するためにユーザ端末に送信され、これにより、サーバは、IMSI更新要求メッセージに従って対応する応答メッセージをユーザ端末に返信することができることが分かる。このように、ユーザ端末により受信された応答メッセージに従って、スマートカードにおいてIMSIを追加する動作が実行されてもよく、或いは、スマートカードからIMSIを削除する動作が実行されてもよい。これにより、スマートカードのIMSIが動的に更新されてもよく、ユーザ端末がIMSIを動的に占有してもよい。これにより、１人のユーザが複数のIMSIをいつも占有しなければならないという現象を回避する。セキュリティ認証及び解読のような動作は、ユーザ端末により受信された応答メッセージで実行されてもよく、これにより、スマートカードのIMSI更新動作のセキュリティを確保する。最後に、実施例１では、IMSIの利用率が改善され、IMSIリソースが節約される。
【実施例２】
【００３２】
実施例２は、複数のIMSIをサポートする方法である。この方法の処理は図２に示されている。
【００３３】
図２のS200：ユーザ端末により送信されたIMSI更新要求メッセージを受信する。ここでのIMSI更新要求メッセージは、IMSI適用要求メッセージでもよく、また、IMSI削除要求メッセージでもよい。S200において受信されたIMSI更新要求メッセージは、OTAショートメッセージに基づく形式でもよく、また、他の形式でもよい。
【００３４】
S210：受信したIMSI更新要求メッセージに従ってIMSI管理動作を実行する。ここでのIMSI管理動作は、IMSI更新要求メッセージがIMSI適用要求メッセージである場合、ユーザ端末に新たなIMSI及び認証データを割り当てることでもよい。IMSI管理動作はまた、IMSI更新要求メッセージがIMSI削除要求メッセージである場合、IMSI削除要求メッセージに従ってIMSIを再利用することでもよい。IMSIの再利用は、IMSI及びIMSIに対応する認証データとユーザ端末との間の結合関係を解くようなものでもよい。
【００３５】
IMSI更新要求メッセージが受信された後に、まず、IMSI更新要求メッセージで伝達された情報に従って、セキュリティ認証が実行されてもよい。例えば、セキュリティ認証は、IMSI更新要求メッセージで伝達されたスマートカード識別情報を使用することにより、IMSI更新要求メッセージで実行される。セキュリティ認証が通過した場合、IMSI管理動作は、受信したIMSI更新要求メッセージに従って実行される。セキュリティ認証が失敗した場合（すなわち、通過しなかった場合）、IMSI管理動作は実行されない。この実施例では、IMSI更新要求メッセージでセキュリティ認証を実行するために、既存のセキュリティ認証様式が採用されてもよく、この実施例では、セキュリティ認証の特定の実装処理は限定されない。
【００３６】
IMSI更新要求メッセージが暗号化されている場合、S210の実行主体は、IMSI更新要求メッセージで伝達された情報を解読し、解読された情報に従ってIMSI管理動作を実行してもよい。例えば、セキュリティ認証が通過した後に、IMSI更新要求メッセージで伝達された情報は解読され、IMSI管理動作は、解読された情報に従って実行される。この実施例では、解読の特定の実装処理は限定されない。
【００３７】
S220：IMSI管理動作の実行結果に従って応答メッセージをユーザ端末に返信する。
【００３８】
ここでの応答メッセージは、スマートカードのIMSI更新動作を実行するために使用される情報を伝達し、スマートカードのIMSI更新動作は、スマートカードにおいてIMSIを追加する動作及びスマートカードからIMSIを削除する動作のうち少なくとも１つを含んでもよい。
【００３９】
IMSI更新要求メッセージがIMSI適用要求メッセージである場合（すなわち、スマートカードのIMSI更新動作がスマートカードにおいてIMSIを追加する動作である場合）、S220の実行主体は、応答メッセージでユーザ端末に割り当てられた新たなIMSI及び認証データを伝達し、応答メッセージをユーザ端末に返信してもよい。
【００４０】
IMSI更新要求メッセージがIMSI削除要求メッセージである場合（すなわち、スマートカードのIMSI更新動作がスマートカードからIMSIを削除する動作である場合）、S220の実行主体は、応答メッセージで削除許可情報（すなわち、再利用成功情報）又は削除禁止情報（すなわち、再利用失敗情報）を伝達し、応答メッセージをユーザ端末に返信してもよい。
【００４１】
前述の応答メッセージは、OTAショートメッセージの形式を通じてユーザ端末に送信されてもよい。明らかに、応答メッセージはまた、OTAショートメッセージ以外の他の形式を通じてユーザ端末に送信されてもよい。例えば、応答メッセージは、BIPを通じてユーザ端末に送信される。この実施例では、応答メッセージにより特に採用されるプロトコルタイプ及び応答メッセージの特定のコマンドフォーマットは限定されない。
【００４２】
S220の実行主体は、応答メッセージで伝達される必要のある情報を暗号化し、応答メッセージで暗号化された情報を伝達し、暗号化された情報を伝達する応答メッセージをユーザ端末に返信してもよい。例えば、割り当てられた新たなIMSI及びIMSIに対応する認証データは、暗号化され、暗号化されたIMSI及び認証データが応答メッセージで伝達され、ユーザ端末に送信される。他の例では、削除許可情報又は削除禁止情報は、暗号化され、暗号化された情報が応答メッセージで伝達され、ユーザ端末に送信される。この実施例では、暗号化の特定の実装処理は限定されない。
【実施例３】
【００４３】
実施例３は、複数のIMSIをサポートする方法である。この方法の処理は図３に示されている。
【００４４】
図３のS300：ユーザは、UE  STK（User  Equipment  SIM  Toolkit）アプリケーションを通じてIMSIを追加することを要求する。例えば、ユーザは、１つの特定の領域のローカルIMSIを追加することを要求するために、UE  STKを通じてIMSI追加要求情報を入力する。
【００４５】
S310：IMSI追加要求情報を受信した後に、UEは、IMSIの追加処理を起動するために、エンベロープコマンド（選択メニュー（MENU  Select）コマンド等）を呼び出し、IMSI更新コマンドをSIMSIMカードに送信する。
【００４６】
S320：IMSI更新コマンドを受信した後に、SIMカードは、UEがOTAショートメッセージをCATサーバ（すなわち、無線インタフェース（エアインタフェース）を通じてSIMカードのファイルシステムを管理及び制御するサーバ）に送信することを起動するために、IMSI追加要求保護パケットをUEに送信する。IMSI追加要求保護パケットは、セキュリティ認証に使用される情報と、暗号化された情報とを含む。
【００４７】
S330：IMSI追加要求保護パケットを受信した後に、UEは、ユーザ端末に新たなIMSIを割り当てることをCATサーバに対して要求するために、OTAショートメッセージをCATサーバに送信する（すなわち、IMSI追加要求保護パケットはOTAショートメッセージにカプセル化され、CATサーバに送信される）。
【００４８】
S340：OTAショートメッセージを受信した後に、CATサーバは、OTAショートメッセージのIMSI追加要求保護パケットでセキュリティ認証を実行する。
【００４９】
S350：セキュリティ認証が通過した後に、CATサーバは、IMSIデータ保護パケットをユーザ端末に送信する。IMSIデータ保護パケットは、１つの特定の領域のローカルIMSIと、ユーザ端末に新たに割り当てられたIMSIに対応する認証データとを伝達する。新たに割り当てられたIMSI及びIMSIに対応する認証データは、暗号化の後にIMSI追加要求保護パケットで伝達されてもよい。IMSI追加要求保護パケットは、セキュリティ認証に使用される情報と、暗号化された情報とを含んでもよい。IMSIデータ保護パケットは、OTAショートメッセージの形式を通じてユーザ端末に送信される（すなわち、IMSIデータ保護パケットはOTAショートメッセージにカプセル化され、ユーザ端末に送信される）。
【００５０】
S360：OTAショートメッセージの形式を通じてCATサーバにより送信されたIMSIデータ保護パケットを受信した後に、UEは、OTAショートメッセージのIMSIデータ保護パケットで暗号化及び解読のような動作を実行せずに、ショートメッセージサービス・ポイントツーポイントダウンロード（SMS  PP  Download：short  message  services  point-to-point  download）コマンドを通じてOTAショートメッセージのIMSIデータ保護パケットをSIMカードに送信する。
【００５１】
S370：SMS  PP  Downloadコマンドを受信した後に、SIMカードは、コマンドのIMSIデータ保護パケットでセキュリティ認証を実行する。セキュリティ認証が通過した後に、SIMカードは、IMSIデータ保護パケットを解読する。解読された情報が完全且つ有効であると判定された場合、SIMカードは、解読後に得られたIMSI及び認証データを格納する。解読された情報が完全又は有効でないことが判定された場合、SIMカードは、IMSI及び認証データを格納する動作を実行しない。新たなIMSIをうまく追加した後に、SIMカードは、新たなIMSIをうまく追加したという通知情報をUEに送信する。更に、新たなIMSIがうまく追加されなかった場合にも、SIMカードは、新たなIMSIをうまく追加しなかったという通知情報をUEに送信すべきである。
【００５２】
S380：通知情報を受信した後に、UEは、新たなIMSIをうまく追加したという通知情報を表示し、これにより、ユーザは、IMSI追加要求の実行結果を認識する。
【００５３】
S390：新たに追加されたIMSIを使用することを選択した場合、ユーザは、新たなIMSIに切り替えるという要求情報を入力する。
【００５４】
S391：UEは、新たなIMSIに切り替えるという要求情報をSIMカードに送信し、UEは、新たなIMSIに切り替えるという要求情報をSIMカードに送信するために、選択メニュー（MENU  Select）コマンドを呼び出してもよい。
【００５５】
S392：SIMカードは、受信した選択メニューコマンドを実行し、テキスト表示（Display  Text）コマンドを通じて選択メニューコマンドの実行結果についての情報をUEに送信する。
【００５６】
S393：UEは、テキスト表示コマンドで選択メニューコマンドの実行結果についての情報を表示し、これにより、ユーザは、新たなIMSIにうまく切り替えられたか否かを認識する。
【実施例４】
【００５７】
実施例４は、複数のIMSIをサポートする方法である。この方法の処理は図４に示されている。
【００５８】
図４のS400：ユーザは、UE  STKアプリケーションを通じてIMSIを削除することを要求する。例えば、ユーザは、１つの特定の領域のローカルIMSIを削除することを要求するために、UE  STKを通じてIMSI削除要求メッセージの情報を入力する。
【００５９】
S410：IMSI削除要求メッセージの情報を受信した後に、UEは、IMSIの削除処理を起動するために、エンベロープコマンド（選択メニュー（MENU  Select）コマンド等）を呼び出し、IMSI更新コマンドをSIMSIMカードに送信する。
【００６０】
S420：IMSI更新コマンドを受信した後に、SIMカードは、UEがOTAショートメッセージをCATサーバに送信することを起動するために、IMSI削除要求保護パケットをUEに送信する。IMSI削除要求保護パケットは、セキュリティ認証に使用される情報と、暗号化された情報とを含む。暗号化された情報は、削除される必要があるIMSI及びIMSIに対応する認証データを含む。
【００６１】
S430：IMSI削除要求保護パケットを受信した後に、UEは、ユーザ端末に割り当てられたIMSIを削除することをCATサーバに対して要求するために、OTAショートメッセージをCATサーバに送信する（すなわち、IMSI削除要求保護パケットはOTAショートメッセージにカプセル化され、CATサーバに送信される）。
【００６２】
S440：OTAショートメッセージを受信した後に、CATサーバは、OTAショートメッセージのIMSI削除要求保護パケットでセキュリティ認証を実行する。
【００６３】
S450：セキュリティ認証が通過した後に、CATサーバは、IMSIデータ保護パケットで伝達された暗号化された情報を解読し、削除される必要のあるIMSI及び認証データを取得する。CATサーバは、取得されたIMSI及び認証データに従ってIMSIを再利用し、CATサーバは、IMSIデータ保護パケットをユーザ端末に送信する。IMSIデータ保護パケットは、セキュリティ認証に使用される情報と、暗号化された情報とを伝達する。暗号化された情報は、再利用成功情報を暗号化した後に得られた情報を含む。IMSIデータ保護パケットは、OTAショートメッセージの形式を通じてユーザ端末に送信される（すなわち、IMSIデータ保護パケットは、OTAショートメッセージにカプセル化され、ユーザ端末に送信される）。
【００６４】
S460：CATサーバにより送信されたOTAショートメッセージのIMSIデータ保護パケットを受信した後に、UEは、OTAショートメッセージのIMSIデータ保護パケットで暗号化及び解読のような動作を実行せずに、SMS  PP  Downloadコマンドを通じてOTAショートメッセージのIMSIデータ保護パケットをSIMカードに送信する。
【００６５】
S470：SMS  PP  Downloadコマンドを受信した後に、SIMカードは、コマンドのIMSIデータ保護パケットでセキュリティ認証を実行する。セキュリティ認証が通過した後に、SIMカードは、IMSIデータ保護パケットを解読する。解読された情報が完全且つ有効であると判定された場合、SIMカードは、解読後に得られた再利用成功情報に従って、SIMカードに格納されており削除される必要のあるIMSI及び認証データを削除する。解読された情報が完全又は有効でないことが判定された場合、SIMカードは、削除動作を実行しない。IMSIをうまく削除した後に、SIMカードは、IMSIをうまく削除したという通知情報をUEに送信する。更に、IMSIがうまく削除されなかった場合にも、SIMカードは、IMSIをうまく削除しなかったという通知情報をUEに送信すべきである。
【００６６】
S480：通知情報を受信した後に、UEは、IMSIをうまく削除したという通知情報を表示し、これにより、ユーザは、IMSI削除要求の実行結果を認識する。
【００６７】
S490：他のIMSIを使用することを選択した場合、ユーザは、指定されたIMSIに切り替えるという要求情報を入力する。
【００６８】
S491：UEは、指定されたIMSIに切り替えるという要求情報をSIMカードに送信し、UEは、指定されたIMSIに切り替えるという要求情報をSIMカードに送信するために、選択メニュー（MENU  Select）コマンドを呼び出してもよい。
【００６９】
S492：SIMカードは、受信した選択メニューコマンドを実行し、テキスト表示（Display  Text）コマンドを通じて選択メニューコマンドの実行結果についての情報をUEに送信する。
【００７０】
S493：UEは、テキスト表示コマンドで選択メニューコマンドの実行結果についての情報を表示し、これにより、ユーザは、指定されたIMSIにうまく切り替えられたか否かを認識する。
【実施例５】
【００７１】
実施例５は、複数のIMSIをサポートする装置である。この装置は、スマートカード（SIMカード等）に設定されてもよく、スマートカードとは独立して設定されてもよい。装置の構成は図５に示す通りである。
【００７２】
図５の装置は、第１の受信モジュール500と、更新モジュール520とを含む。任意選択で、この装置は、第１の送信モジュール510を更に含んでもよい。
【００７３】
第１の受信モジュール500は、IMSI更新要求メッセージに応じてサーバにより返信されてユーザ端末により送信された応答メッセージを受信するように構成される。任意選択で、第１の受信モジュールは、IMSI更新コマンドを受信するように更に構成される。
【００７４】
第１の受信モジュール500により受信されたIMSI更新コマンドは、ユーザ端末により送信されたコマンドでもよく、ユーザ端末は、外部で入力されたIMSI更新要求情報を受信した後にIMSI更新コマンドを生成し、IMSI更新コマンドを複数のIMSIをサポートする装置に送信してもよい。ユーザ端末により受信されたIMSI更新要求情報は、ユーザが新たなIMSIを適用する必要があること又はユーザが１つの特定のIMSIを削除する必要があることのような内容を表してもよい。IMSI更新要求情報に従ってユーザ端末により生成されたIMSI更新コマンドもまた、ユーザが新たなIMSIを適用する必要があること又はユーザが１つの特定のIMSIを削除する必要があることのような内容を表してもよい。第１の受信モジュール500により受信されたIMSI更新コマンドは、エンベロープコマンドに基づくIMSI更新コマンドでもよい。第１の受信モジュール500により受信されたIMSI更新コマンドはまた、エンベロープコマンド以外の他の形式のコマンドを採用してもよく、この実施例では、IMSI更新コマンドにより特に採用されるプロトコルタイプ及びコマンドの特定のフォーマットは限定されない。
【００７５】
第１の送信モジュール510は、ユーザ端末がIMSI更新要求情報に従ってIMSI更新要求メッセージをサーバに送信することを起動するために、第１の受信モジュール500により受信されたIMSI更新コマンドに従ってIMSI更新要求情報をユーザ端末に送信するように構成される。ここでのIMSI更新要求メッセージは、IMSI適用要求メッセージ又はIMSI削除要求メッセージを含む。
【００７６】
ここでのIMSI更新要求メッセージは、IMSI適用要求メッセージでもよく、また、IMSI削除要求メッセージでもよい。IMSI適用要求メッセージは、ユーザ端末に新たなIMSIを適用するために使用され、IMSI削除要求メッセージは、ユーザ端末により占有されている１つの特定のIMSIを削除するために使用される。IMSI削除要求メッセージは、IMSI及び認証データのような、削除される必要のあるIMSI情報を伝達してもよい。ここでの認証データは、IMSIに対応する認証データである。第１の送信モジュール510は、エンベロープコマンドの形式に基づいてIMSI更新要求情報をユーザ端末に送信してもよく、第１の送信モジュール510はまた、IMSI更新要求情報をユーザ端末に送信するためにエンベロープコマンド以外の他の形式のコマンドを採用してもよい。この実施例では、IMSI更新要求情報を送信するために第１の送信モジュール500により採用される特定のプロトコルタイプ及び特定のフォーマットは限定されない。
【００７７】
第１の送信モジュール510は、第１のサブモジュール511と、第２のサブモジュール512とを含んでもよい。
【００７８】
第１のサブモジュール511は、第１の受信モジュール500により受信されたIMSI更新コマンドに従って、IMSI更新要求情報を判定し、IMSI更新要求情報を暗号化するように構成される。
【００７９】
第２のサブモジュール512は、第１のサブモジュール511により暗号化後に得られた情報と、セキュリティ認証に使用される情報とをユーザ端末に送信するように構成される。例えば、第２のサブモジュール512は、エンベロープコマンドの形式に基づいて、暗号化後に得られた前述の情報と、セキュリティ認証に使用される情報とをユーザ端末に送信する。
【００８０】
更新モジュール520は、第１の受信モジュール500により受信された応答メッセージで伝達された情報に従ってスマートカードのIMSI更新動作を実行するように構成される。ここでのスマートカードは、複数のIMSIをサポートするスマートカードであり、スマートカードのIMSI更新動作は、スマートカードにおいてIMSIを追加する動作でもよく、また、スマートカードからIMSIを削除する動作でもよい。任意選択で、更新モジュール520は、新たなIMSIがうまく適用されたか否か、又は特定のIMSIがうまく削除されたか否かをユーザが認識することができるように、スマートカードのIMSI更新動作の実行条件を出力してもよい。
【００８１】
更新モジュールは、第３のサブモジュール521と、第４のサブモジュール522と、第５のサブモジュール523とを含んでもよい。
【００８２】
第３のサブモジュール521は、第１の受信モジュール500により受信された応答メッセージでセキュリティ認証を実行するように構成される。例えば、第３のサブモジュール521は、応答メッセージで伝達されたサーバ識別情報を使用することにより、応答メッセージでセキュリティ認証を実行する。
【００８３】
第４のサブモジュール522は、第３のサブモジュール521により実行されたセキュリティ認証が通過した後に、応答メッセージを解読するように構成される。第４のサブモジュール522による解読後に得られた情報は、ユーザ端末に割り当てられた新たなIMSI及び認証データを含んでもよい。第４のサブモジュール522による解読後に得られた情報はまた、再利用が成功したか否かを示す情報を含んでもよい。この実施例では、第４のサブモジュール522により応答メッセージを解読する特定の実装処理は限定されない。
【００８４】
第５のサブモジュール523は、第４のサブモジュール522により解読後に得られた情報に従ってスマートカードのIMSI更新動作を実行するように構成される。
【００８５】
任意選択で、第５のサブモジュール523は、暗号化後に得られた情報が完全且つ有効であるか否かを判定してもよい。完全且つ有効であると判定された後に、第５のサブモジュール523は、解読後に得られた情報に従ってスマートカードのIMSI更新動作を実行する。完全又は有効でないことが判定された後に、第５のサブモジュール523は、スマートカードのIMSI更新動作を実行しなくてもよい。
【００８６】
任意選択で、第５のサブモジュール523は、新たなIMSIがうまく適用されたか否か、又は１つの特定のIMSIがうまく削除されたか否かをユーザが認識することができるように、スマートカードのIMSI更新動作の実行条件を出力してもよい。
【実施例６】
【００８７】
実施例６は、ユーザ端末である。ユーザ端末の構成は、図６に示す通りである。
【００８８】
図６のユーザ端末は、制御モジュール600と、複数のIMSIをサポートする装置610とを含む。ここでの複数のIMSIをサポートする装置610は、スマートカード（SIMカード等）でもよく、また、スマートカードとは独立して設定されてもよい。
【００８９】
制御モジュール600は、IMSI更新要求メッセージをサーバに送信し、IMSI更新要求メッセージに応じてサーバにより返信された応答メッセージを受信した後に、応答メッセージを複数のIMSIをサポートする装置610に送信するように構成される。ここでのIMSI更新要求メッセージは、IMSI適用要求メッセージ及びIMSI削除要求メッセージのうち少なくとも１つを含む。
【００９０】
制御モジュール600はまた、IMSI更新コマンドを受信した後に、複数のIMSIをサポートする装置610がIMSI更新要求情報をそれに送信するように、受信したIMSI更新要求情報に従ってIMSI更新コマンドを複数のIMSIをサポートする装置610に送信し、IMSI更新要求情報を受信した後にIMSI更新要求メッセージをサーバに送信するように構成されてもよい。明らかに、制御モジュール600はまた、IMSI更新要求メッセージをサーバに能動的に送信してもよい。すなわち、複数のIMSIをサポートする装置610により送信されるIMSI更新要求情報が受信されない場合にも、制御モジュール600は、IMSI更新要求メッセージをサーバに送信する。
【００９１】
制御モジュール600は、OTAショートメッセージの形式を通じてIMSI更新要求メッセージをサーバに送信してもよい。明らかに、制御モジュール600はまた、IMSI更新要求メッセージをサーバに送信するために、OTAショートメッセージ以外の他の形式を採用してもよい。例えば、制御モジュール600は、BIPを通じてIMSI更新要求メッセージをサーバに送信する。この実施例では、IMSI更新要求メッセージを送信するために制御モジュール600により特に採用されるプロトコルタイプ及びIMSI更新要求メッセージに特に含まれる内容は限定されない。
【００９２】
サーバにより返信された応答メッセージを受信した後に、制御モジュール600は、制御モジュール600と複数のIMSIをサポートする装置610との間のプロトコルを通じて、応答メッセージを複数のIMSIをサポートする装置610に送信してもよい。例えば、制御モジュール600は、エンベロープコマンドに基づく応答メッセージを通じて、サーバにより返信された応答メッセージを複数のIMSIをサポートする装置610に送信してもよい。サーバにより返信された応答メッセージは、サーバによりユーザ端末に割り当てられた新たなIMSI及びIMSIに対応する認証データのように、スマートカードにおいてIMSIを追加する動作を実行するために使用される情報を伝達してもよい。応答メッセージはまた、削除許可情報（すなわち、再利用成功情報）のように、スマートカードからIMSIを削除する動作を実行するために使用される情報を伝達してもよい。任意選択で、スマートカードからIMSIを削除する動作を実行するために使用される情報は、削除される必要のあるIMSIを含んでもよく、削除される必要のあるIMSI及びIMSIに対応する認証データを含んでもよい。この実施例では、応答メッセージを複数のIMSIをサポートする装置610に送信するために制御モジュール600により特に採用されるプロトコルタイプ及び応答メッセージの特定のコマンドフォーマットは限定されない。
【００９３】
複数のIMSIをサポートする装置610は、制御モジュール600により送信された応答メッセージを受信し、応答メッセージで伝達された情報に従ってスマートカードのIMSI更新動作を実行するように構成される。ここでのスマートカードは、複数のIMSIをサポートするスマートカードであり、ここでのスマートカードのIMSI更新動作は、スマートカードにおいてIMSIを追加する動作及びスマートカードからIMSIを削除する動作のうち少なくとも１つを含む。
【００９４】
複数のIMSIをサポートする装置610は、制御モジュール600により送信されたIMSI更新コマンドを受信し、IMSI更新コマンドに従ってIMSI更新要求情報を制御モジュール600に送信するように更に構成される。
【００９５】
複数のIMSIをサポートする装置610の特定の構成は、前述の実施例５の説明の通りであり、ここでは再び繰り返し説明しない。
【実施例７】
【００９６】
実施例７は、サーバである。サーバの構成は図７に示す通りである。
【００９７】
図７に示すサーバは、第２の受信モジュール700と、管理モジュール710と、第２の送信モジュール720とを含む。
【００９８】
第２の受信モジュール700は、ユーザ端末により送信されたIMSI更新要求メッセージを受信するように構成される。ここでのIMSI更新要求メッセージは、IMSI適用要求メッセージでもよく、また、IMSI削除要求メッセージでもよい。第２の受信モジュール700により受信されたIMSI更新要求メッセージは、OTAショートメッセージに基づく形式でもよく、また、他の形式でもよい。
【００９９】
管理モジュール710は、第２の受信モジュール700により受信されたIMSI更新要求メッセージに従ってIMSI管理動作を実行するように構成される。管理モジュール710により実行されるIMSI管理動作は、IMSI更新要求メッセージがIMSI適用要求メッセージを含む場合、管理モジュール710がユーザ端末に新たなIMSI及び認証データを割り当てることを含む。IMSI更新要求メッセージがIMSI削除要求メッセージを含む場合、管理モジュール710は、IMSI削除要求メッセージに従ってIMSIを再利用する。例えば、管理モジュール710は、削除される必要のあるIMSIとユーザ端末との間の結合関係を解く。
【０１００】
管理モジュール710は、第６のサブモジュール711と、第７のサブモジュール712と、第８のサブモジュール713とを含んでもよい。
【０１０１】
第６のサブモジュール711は、第２の受信モジュール700により受信されたIMSI更新要求メッセージでセキュリティ認証を実行するように構成される。例えば、第６のサブモジュール711は、IMSI更新要求メッセージで伝達されたスマートカード識別情報を使用することにより、IMSI更新要求メッセージでセキュリティ認証を実行する。第６のサブモジュール711は、IMSI更新要求メッセージでセキュリティ認証を実行するために既存のセキュリティ認証様式を採用してもよく、この実施例では、第６のサブモジュール711がセキュリティ認証を実行する特定の実装処理は限定されない。
【０１０２】
第７のサブモジュール712は、第６のサブモジュール711により実行されたセキュリティ認証が通過した後に、IMSI更新要求メッセージを解読するように構成される。第６のサブモジュール711により実行されたセキュリティ認証が通過しない場合、第７のサブモジュール712は、解読を実行しない。この実施例では、第７のサブモジュール712により実行される解読の特定の実装処理は限定されない。
【０１０３】
第８のサブモジュール713は、第７のサブモジュール712により解読されて得られた情報に従ってIMSI管理動作を実行するように構成される。IMSI更新要求メッセージがIMSI適用要求メッセージである場合、第８のサブモジュール713は、ユーザ端末に新たなIMSI及び認証データを割り当ててもよい。IMSI更新要求メッセージがIMSI削除要求メッセージである場合、第８のサブモジュール713は、IMSI削除要求メッセージに従ってIMSIを再利用してもよい。
【０１０４】
第２の送信モジュール720は、管理モジュール710により実行されたIMSI管理動作の実行結果に従って、応答メッセージをユーザ端末に返信するように構成される。ここでの応答メッセージは、スマートカードのIMSI更新動作を実行するために使用される情報を伝達する。
【０１０５】
第２の送信モジュール720は、応答メッセージで管理モジュール710によりユーザ端末に割り当てられた新たなIMSI及び認証データを伝達し、応答メッセージをユーザ端末に返信してもよい。第２の送信モジュール720はまた、応答メッセージで削除許可情報（すなわち、再利用成功情報）又は削除禁止情報（すなわち、再利用失敗情報）を伝達し、応答メッセージをユーザ端末に返返信してもよい。
【０１０６】
第２の送信モジュール720は、OTAショートメッセージの形式を通じて応答メッセージをユーザ端末に送信してもよい。明らかに、第２の送信モジュール720はまた、ユーザ端末に送信するためにOTAショートメッセージ以外の他の形式を採用してもよい。例えば、第２の送信モジュール720は、BIPを通じて応答メッセージをユーザ端末に送信する。この実施例では、応答メッセージを送信するために第２の送信モジュール720により採用される特定のプロトコルタイプ及び応答メッセージの特定のコマンドフォーマットは限定されない。
【０１０７】
第２の送信モジュール720は、第９のサブモジュール721と、第１０のサブモジュール722とを含んでもよい。
【０１０８】
第９のサブモジュール721は、管理モジュール710により実行されたIMSI管理動作の実行結果についての情報を暗号化するように構成される。例えば、第９のサブモジュール721は、管理モジュール710により割り当てられた新たなIMSI及びIMSIに対応する認証データを暗号化する。他の例では、第９のサブモジュール721は、再利用成功情報又は再利用失敗情報を暗号化する。この実施例では、第９のサブモジュール721により実行される暗号化の特定の実装処理は限定されない。
【０１０９】
第１０のサブモジュール722は、第９のサブモジュール721による暗号化の後に得られた情報と、応答メッセージでのセキュリティ認証に使用される情報とを伝達し、応答メッセージをユーザ端末に返信するように構成される。セキュリティ認証に使用される情報は、サーバの識別情報等である。
【実施例８】
【０１１０】
実施例８は、複数のIMSIをサポートするシステムである。システムの構成は図８に示す通りである。
【０１１１】
図８に示すシステムは、ユーザ端末800（UE等）と、サーバ810とを含む。図８には１つのみのユーザ端末800が示されているが、ユーザ端末800の数は複数でもよい。
【０１１２】
ユーザ端末800は、IMSI適用要求メッセージ及びIMSI削除要求メッセージのうち少なくとも１つを含むIMSI更新要求メッセージをサーバ810に送信し、IMSI更新要求メッセージに応じてサーバ810により返信された応答メッセージを受信し、応答メッセージで伝達された情報に従ってスマートカードのIMSI更新動作を実行するように構成される。ここでのスマートカードは、複数のIMSIをサポートするスマートカードであり、ここでのスマートカードのIMSI更新動作は、スマートカードにおいてIMSIを追加する動作又はスマートカードからIMSIを削除する動作を含む。
【０１１３】
サーバ810は、ユーザ端末800により送信されたIMSI更新要求メッセージに従ってIMSI管理動作を実行し、IMSI管理動作の実行結果に従って応答メッセージをユーザ端末800に返信するように構成される。
【０１１４】
サーバ800により実行されるIMSI管理動作は、受信したIMSI更新要求メッセージがIMSI適用要求メッセージを含む場合、ユーザ端末800に新たなIMSI及び認証データを割り当てることを含み、受信したIMSI更新要求メッセージがIMSI削除要求メッセージを含む場合、IMSI削除要求メッセージに従ってIMSIを再利用することを含む。
【０１１５】
ユーザ端末800及びサーバ810により実行される特定の動作及び特定の構成は、前述の方法及び装置の実施例で説明した通りであり、ここでは再び繰り返し説明しない。
【実施例９】
【０１１６】
実施例９は、複数のIMSIをサポートする方法である。方法の処理は図９に示されている。
【０１１７】
図９のS900：IMSI更新要求メッセージをサーバに送信する。IMSI更新要求メッセージは、IMSI適用要求メッセージ及びIMSI削除要求メッセージのうち少なくとも１つを含む。
【０１１８】
任意選択で、S900の前に、実施例９は、IMSI更新コマンドをスマートカードに送信し、スマートカードにより返信されたIMSI更新要求情報を受信することを更に含んでもよい。これにより、その後にS900において、IMSI更新要求メッセージは、受信したIMSI更新要求情報に従ってサーバに送信されてもよい。
【０１１９】
この実施例のIMSI更新コマンドは、エンベロープコマンドに基づくIMSI更新コマンドでもよい。すなわち、IMSI更新コマンドは、エンベロープコマンドの形式を採用する。前述のIMSI更新コマンドはまた、エンベロープコマンド以外の他の形式のコマンドを採用してもよく、この実施例では、IMSI更新コマンドにより特に採用されるプロトコルタイプ及びコマンドの特定のフォーマットは限定されない。
【０１２０】
この実施例のIMSI更新要求メッセージは、OTAショートメッセージの形式を通じてユーザ端末によりサーバに送信されてもよい。明らかに、IMSI更新要求メッセージはまた、OTAショートメッセージ以外の他の形式を採用することにより、サーバに送信されてもよい。例えば、IMSI更新要求メッセージは、BIPを通じてサーバに送信される。この実施例では、IMSI更新要求メッセージにより特に採用されるプロトコルタイプ及びIMSI更新要求メッセージに特に含まれる内容は限定されない。
【０１２１】
この実施例の実行主体（ユーザ端末等）により受信されたIMSI更新要求情報は、暗号化されたIMSI更新要求情報でもよい。更に、セキュリティ認証に使用される情報は、暗号化されたIMSI更新要求情報と共に送信されてもよい。すなわち、ユーザ端末は、セキュリティ認証に使用される情報を受信してもよい。
【０１２２】
S910：IMSI更新要求メッセージに従ってサーバにより返信された応答メッセージを受信する、
S920：スマートカードが応答メッセージで伝達された情報に従ってスマートカードのIMSI更新動作を実行するように、応答メッセージをスマートカードに送信する。スマートカードは、複数のIMSIをサポートするスマートカードである。
【０１２３】
スマートカードにより応答メッセージで伝達された情報に従ってスマートカードのIMSI更新動作を実行することは、応答メッセージでセキュリティ認証を実行し、セキュリティ認証が通過した後に、応答メッセージを解読し、解読された情報に従ってスマートカードのIMSI更新動作を実行することを含む。スマートカードのIMSI更新動作は、スマートカードにおいてIMSIを追加する動作及びスマートカードからIMSIを削除する動作のうち少なくとも１つを含む。スマートカードにより実行される特定の動作は、前述の実施例で説明した通りであり、ここでは再び繰り返し説明しない。
【０１２４】
前述の実装様式の説明を通じて、本発明はソフトウェアに必要なハードウェアプラットフォームを加えた様式を通じて実装されてもよく、明らかに全てハードウェアにより実装されてもよいが、多くの場合には前者が例示的な実装様式であることを、当業者は明らかに理解し得る。このような理解に基づいて、背景技術に寄与する本発明の技術的対策の一部又は全部は、ソフトウェアプロダクトの形式で具現化されてもよい。ソフトウェアプロダクトは、前述の方法の処理を実行するために使用されてもよい。コンピュータソフトウェアプロダクトは、記憶媒体（例えば、ROM/RAM、磁気ディスク又はコンパクトディスク）に格納されてもよく、コンピュータデバイス（パーソナルコンピュータ、サーバ又はネットワークデバイスでもよい）が本発明の各実施例で説明した方法又は実施例の特定の部分を実行することを可能にするために使用される複数の命令を含む。
【０１２５】
本発明について実施例を通じて説明したが、当業者は、本発明の要旨を逸脱することなく、本発明の複数の変更及び変形が存在することを認識する。これらの変更及び変形は、本発明の出願書類の請求項によりカバーされる。
【図１】
2013527656.tif 000003
【図２】
2013527656.tif 000004
【図３】
2013527656.tif 000005
【図４】
2013527656.tif 000006
【図５】
2013527656.tif 000007
【図６】
2013527656.tif 000008
【図７】
2013527656.tif 000009
【図８】
2013527656.tif 000010
【図９】
2013527656.tif 000011
【手続補正書】
【提出日】平成24年10月9日(2012.10.9)
【手続補正１】
【補正対象書類名】明細書
【補正対象項目名】０００３
【補正方法】変更
【補正の内容】
【０００３】
従来技術は、以下の欠点を有する。既存のスマートカードに設定されたIMSIが比較的固定されており、すなわち、IMSIがスマートカードに予め設定された後に、スマートカードのIMSIは変更できず、スマートカードの複数のIMSIは１人のユーザによってしか使用できない。従って、１人のユーザは複数のIMSIを占有しなければならず、このことは、IMSIの低い利用率をもたらし、最終的にIMSIリソースの無駄を生じる。
【国際調査報告】
2013527656.tif 000012
2013527656.tif 000013
2013527656.tif 000014
2013527656.tif 000015